(57)【特許請求の範囲】
【請求項１】
円筒状のマグネットローラの外周表面に着脱自在に巻き付けて用いるもので、表面に押切刃を備えた薄いシート状のフレキシブルアンビルダイであって、前記押切刃が、前記マグネットローラの回転方向に対して直線状のミシン刃と、更に前記ミシン刃の各々の刃の一端を始点として、前記直線に対して傾斜した方向に形成された傾斜刃とから構成され、更に前記フレキシブルアンビルダイが前記マグネットローラに巻き付けられた際に、最も端部に位置する傾斜刃の長さを、その他の傾斜刃の長さより長く形成してなることを特徴とするフレキシブルアンビルダイ。
【請求項２】
円筒状のマグネットローラの外周表面に着脱自在に巻き付けて用いるもので、表面に押切刃を備えた薄いシート状のフレキシブルアンビルダイであって、前記シート状のフレキシブルアンビルダイの表面には、シート状のフレキシブルアンビルダイが前記マグネットローラに巻き付けられた際にローラの回転方向に対して平行になるように形成された直線状のミシン刃と、前記直線状のミシン刃の何れかの一端を始点として斜め方向に形成された傾斜刃とが一単位押切刃として同じ向きで複数配列され、前記シート状のフレキシブルアンビルダイの端部側が傾斜刃でない前記単位押切刃の直線状のミシン刃に、他の傾斜刃と１８０度傾きが異なり、かつ、他の傾斜刃より長い傾斜刃がさらに形成されたことを特徴とするフレキシブルアンビルダイ。
【請求項３】
円筒状のマグネットローラの外周表面に着脱自在に巻き付けて用いるもので、表面に押切刃を備えた薄いシート状のフレキシブルアンビルダイであって、前記シート状のフレキシブルアンビルダイの表面には、シート状のフレキシブルアンビルダイが前記マグネットローラに巻き付けられた際にローラの回転方向に対して平行になるように形成された直線状のミシン刃と、前記直線状のミシン刃の何れかの一端を始点として斜め方向に形成された傾斜刃とが一単位押切刃として同じ向きで複数配列され、前記シート状のフレキシブルアンビルダイの一端部側に形成された単位押切刃の傾斜刃は、他の傾斜刃より長く形成され、前記シート状のフレキシブルアンビルダイの他端側に形成された単位押切刃の直線状のミシン刃には、さらに、前記傾斜刃と１８０度傾きが異なる傾斜刃が直線状のミシン刃他端の傾斜刃より長く形成されたことを特徴とするフレキシブルアンビルダイ。
【発明の詳細な説明】
【０００１】
【発明の属する技術分野】
本発明は、円筒状のマグネットローラの外周表面に着脱自在に巻き付けて用いる、表面に押切刃を備えた薄いシート状のフレキシブルアンビルダイに関する。
【０００２】
【従来の技術】
従来より、例えば連続用紙に各種形状の切り込みを形成したり、タック紙製品やラベル紙製品等にハーフカットを形成する等の技術として、表面に永久磁石が敷設されたマグネットロールと、このマグネットロールの表面上に、磁性材料からなるフレキシブルなシート材料を使用して、このシート材料に化学処理を施すことでシート表面に押切刃を形成した所謂フレキシブルアンビルダイを巻き付け、マグネットロールに対して磁力により吸着させて固定させて押切ロールを構成し、この押切ロールの下に接する受胴との間に用紙を通過させて切り込みを形成する、マグネットロールとフレキシブルアンビルダイを用いた切込装置が知られている。
【０００３】
このマグネットロールに対してフレキシブルアンビルダイを巻き付けてセットした状態とした時には、マグネットロールに巻き付けたフレキシブルアンビルダイの先端同士の間に、約０．５ｍｍ程度の隙間間隔、所謂ギャップがあくようにフレキシブルアンビルダイの長さ寸法を設定している。
しかしながらフレキシブルアンビルダイの先端同士の間にギャップがあると、特に切り取り用のミシン目などを加工する場合に、切り取り用のミシン目の一部にギャップ分だけ隙間の長いアンカット部が生じることとなり、加工用紙に形成した切り取り用のミシン目からスムーズに切り取ることができずに、予期しない方向に切り取られる危険性があるという問題がある。
【０００４】
【発明が解決しようとする課題】
本発明は、マグネットロールに巻き付けて使用するフレキシブルアンビルダイを用いて、用紙に切り取りミシン目を加工する場合において、マグネットロールに巻き付けた際に生じるフレキシブルアンビルダイの先端同士の間のギャップの影響で、用紙に形成された切り取りミシン目の一部にこのギャップ分だけ隙間間隔が長く形成されたアンカット部が生じ、この長く形成されたアンカット部の影響で切り取りミシン目から用紙を切り取る際に、予期しない方向に用紙が破れることを防ぐことを可能にしたフレキシブルアンビルダイを提供する。
【０００５】
【課題を解決するための手段】
本発明のフレキシブルアンビルダイは、円筒状のマグネットローラの外周表面に着脱自在に巻き付けて用いるもので、表面に押切刃を備えた薄いシート状のフレキシブルアンビルダイであって、前記押切刃が、前記マグネットローラの回転方向に対して直線状のミシン刃と、更に前記ミシン刃の各々の刃の一端を始点として、前記直線に対して傾斜した方向に形成された傾斜刃とから構成され、更に前記フレキシブルアンビルダイが前記マグネットローラに巻き付けられた際に、最も端部に位置する傾斜刃の長さを、その他の傾斜刃の長さより長く形成してなることを特徴とする。
【０００６】
円筒状のマグネットローラの外周表面に着脱自在に巻き付けて用いるもので、表面に押切刃を備えた薄いシート状のフレキシブルアンビルダイであって、前記シート状のフレキシブルアンビルダイの表面には、シート状のフレキシブルアンビルダイが前記マグネットローラに巻き付けられた際にローラの回転方向に対して平行になるように形成された直線状のミシン刃と、前記直線状のミシン刃の何れかの一端を始点として斜め方向に形成された傾斜刃とが一単位押切刃として同じ向きで複数配列され、前記シート状のフレキシブルアンビルダイの端部側が傾斜刃でない前記単位押切刃の直線状のミシン刃に、他の傾斜刃と１８０度傾きが異なり、かつ、他の傾斜刃より長い傾斜刃がさらに形成されたことを特徴とする。
【０００７】
円筒状のマグネットローラの外周表面に着脱自在に巻き付けて用いるもので、表面に押切刃を備えた薄いシート状のフレキシブルアンビルダイであって、前記シート状のフレキシブルアンビルダイの表面には、シート状のフレキシブルアンビルダイが前記マグネットローラに巻き付けられた際にローラの回転方向に対して平行になるように形成された直線状のミシン刃と、前記直線状のミシン刃の何れかの一端を始点として斜め方向に形成された傾斜刃とが一単位押切刃として同じ向きで複数配列され、前記シート状のフレキシブルアンビルダイの一端部側に形成された単位押切刃の傾斜刃は、他の傾斜刃より長く形成され、前記シート状のフレキシブルアンビルダイの他端側に形成された単位押切刃の直線状のミシン刃には、さらに、前記傾斜刃と１８０度傾きが異なる傾斜刃が直線状のミシン刃他端の傾斜刃より長く形成されたことを特徴とする。
【０００８】
【発明の実施の形態】
以下、本発明の実施の形態を図面に基づいて詳細に説明する。
図１は、本発明の一実施形態に係るフレキシブルアンビルダイが適応される加工工程を概略的に示す構成図、図２は、本発明の一実施形態に係るフレキシブルアンビルダイがマグネットロールに巻き付けられた状態を示す斜視図、図３は、本発明の第１実施形態に係るフレキシブルアンビルダイの平面図、図４は、本発明の第２実施形態に係るフレキシブルアンビルダイの平面図、図５は、本発明の第３実施形態に係るフレキシブルアンビルダイの平面図、図６は、図３のＡ−Ａ線断面図、図７は、本発明の第１実施形態に係るフレキシブルアンビルダイを用いて切り取りミシン目を形成した伝票の平面図、図８は、図７に示した伝票の１枚目の伝票を切り取りミシン目から切り取る状態を示した平面図、図９（ａ）は、本発明の第２実施形態に係るフレキシブルアンビルダイを用いて形成した切り取りミシン目の形状を示す図、図９（ｂ）は、図９（ａ）の切り取りミシン目から切り取った後の切り取り部分の形状を示す図、図１０（ａ）は、本発明の第３実施形態に係るフレキシブルアンビルダイを用いて形成した切り取りミシン目の形状を示す図、図１０（ｂ）は、図１０（ａ）の切り取りミシン目から切り取った後の切り取り部分の形状を示す図である。
【０００９】
まず、本発明のフレキシブルアンビルダイが適応される加工工程の一例を図１に基づいて説明する。
まず、この加工工程の一例では、連続用紙１を送りローラ２により搬送して印刷部３に送り込み、刷版ローラ３ａと受胴ローラ３ｂとの間に挟み込んで連続用紙１の表面に所定の印刷を施した後、次に切込部４に連続用紙１を供給する。
この切込部４には、表面側に押切刃５が形成されたフレキシブルアンビルダイ６が、マグネットロール７の表面側に敷設された永久磁石９により磁気吸着されて固定されている。
そして、フレキシブルアンビルダイ６が固定されたマグネットロール７は、その下側に設けられている受胴８との間に連続用紙１を挟み込んで通過させることで、フレキシブルアンビルダイ６に形成された押切刃５が連続用紙１に対して押し付けられて所望の切り込みを入れるものである。
【００１０】
図２に示すように、マグネットロール７は、表面側に永久磁石９が敷設されており、またフレキシブルアンビルダイ６は、高透磁率の磁性材料からなるフレキシブルなシート状材料で形成されているので、フレキシブルアンビルダイ６をマグネットロール７の所望の位置に着脱自在に磁気吸着させて固定することができる。
そして、フレキシブルアンビルダイ６の表面側は、化学的な処理が施されて凸状の押切刃５が形成されている。
【００１１】
フレキシブルアンビルダイ６の表面側に形成されている押切刃５の形状としては、図３乃至図５に示す３つの実施形態があり、各実施形態について以下に説明する。まず、第１実施形態のフレキシブルアンビルダイ６ａは、図３に示すように、マグネットローラ７に磁気吸着させて固定した状態の時に、フレキシブルアンビルダイ６ａに形成された押切刃５が、マグネットローラ７の回転方向に対して直線状にミシン刃５ａが形成され、更に前記ミシン刃５ａの各々の直線状の刃型の一端を始点として、前記直線に対して傾斜した方向に形成された傾斜刃５ｂとから構成されている。
【００１２】
更にフレキシブルアンビルダイ６ａがマグネットローラ７に巻き付けられた際に、最も端部に位置する傾斜刃５ｄの長さを、その他の傾斜刃５ｂの長さより長く形成してある。
フレキシブルアンビルダイ６ａをマグネットローラ７に巻き付けた場合に、フレキシブルアンビルダイ６ａの両端部の間隔が約０．５ｍｍ程生じるため、ミシン刃の刃型の間隔が他の間隔よりも少々長い状態となり、最も端部に位置する傾斜刃５ｄの長さを、その他の傾斜刃５ｂの長さより長く形成することにより、この長めの間隔からの予期しない方向への破れを防止することができる。
尚、図３乃至図５に示す押切刃５は、図６に示すように押切刃５の刃先１０の部分を示すものであり、連続用紙１に対して押切刃５を押し付けた場合に、これらの刃先と同様の形状の切り取りミシン目を施すことができるものである。
【００１３】
次に、第２実施形態のフレキシブルアンビルダイ６ｂは、図４に示すように、シート状のフレキシブルアンビルダイ６ｂの表面には、シート状のフレキシブルアンビルダイが前記マグネットローラに巻き付けられた際にローラの回転方向に対して平行になるように形成された直線状のミシン刃５ａと、前記直線状のミシン刃５ａの何れかの一端を始点として斜め方向に形成された傾斜刃５ｂとが一単位押切刃として同じ向きで複数配列され、前記シート状のフレキシブルアンビルダイの端部側が傾斜刃でない前記単位押切刃の直線状のミシン刃５に、他の傾斜刃５ｂと１８０度傾きが異なり、かつ、他の傾斜刃より長い傾斜刃５ｅがさらに形成されたものである。
【００１４】
次に、第３実施形態のフレキシブルアンビルダイ６ｃは、図５に示すように、シート状のフレキシブルアンビルダイ６ｃの表面には、シート状のフレキシブルアンビルダイが前記マグネットローラに巻き付けられた際にローラの回転方向に対して平行になるように形成された直線状のミシン刃５ａと、前記直線状のミシン刃５ａの何れかの一端を始点として斜め方向に形成された傾斜刃５ｂとが一単位押切刃として同じ向きで複数配列され、前記シート状のフレキシブルアンビルダイの一端部側に形成された単位押切刃５の傾斜刃５ｄは、他の傾斜刃より長く形成され、前記シート状のフレキシブルアンビルダイの他端側に形成された単位押切刃５の直線状のミシン刃５ａには、さらに、前記傾斜刃５ｂと１８０度傾きが異なる傾斜刃５ｅが直線状のミシン刃５ａ他端の傾斜刃５ｂより長く形成された構造を有している。
【００１５】
図７には、３枚の複写伝票１１ａ，１１ｂ，１１ｃが重合され一側端部で接着された複写伝票組１１に対して、本発明の第１実施形態に係るフレキシブルアンビルダイ６ａを用いて接着部１４と略平行に切り取りミシン目１２を形成した場合の例を示している。
切り取りミシン目１２のカット部の内、カット部１２ａとカット部１２ｂの間のアンカット部１２ｃが、マグネットロールに対してフレキシブルアンビルダイ６ａを巻き付けてセットした状態とした時のフレキシブルアンビルダイ６ａの先端同士の間のギャップの部分となり、カット部１２ｂがフレキシブルアンビルダイ６ａに形成された傾斜刃５ｄにより切り込まれる部分となる。
そして、傾斜刃５ｄの長さは他の傾斜刃５ｂよりも長く形成されているので、切り込まれたカット部１２ｂもその他のカット部よりも長く切り込まれることとなる。
【００１６】
そして、複写伝票組１１から例えば複写伝票１１ａを切り取りミシン目１２から切り取る場合に、図８に示すように、カット部１２ａからカット部１２ｂの間のアンカット部１２ｃが破れる際に、破れた部分１３の破れる方向に切り込み長さの長いカット部１２ｂが形成されているので、予期しない方向に破れてしまうことを回避することができる。
【００１７】
次に、第２実施形態のフレキシブルアンビルダイ６ｂを使用して、切り取りミシン目を形成した場合について、図９に基づいて説明する。
フレキシブルアンビルダイ６ｂを使用して形成した切り取りミシン目１２Ａは、図９（ａ）に示すように、切り取りミシン目１２Ａのカット部の内、カット部１２ａとカット部１２ｅの間のアンカット部１２ｃが、マグネットロールに対してフレキシブルアンビルダイ６ｂを巻き付けてセットした状態とした時のフレキシブルアンビルダイ６ｂの先端同士の間のギャップの部分となり、カット部１２ｅがフレキシブルアンビルダイ６ｂに形成された傾斜刃５ｅにより切り込まれる部分となる。
そして、傾斜刃５ｅの長さは他の傾斜刃５ｂよりも長く形成されているので、切り込まれたカット部１２ｅもその他のカット部よりも長く切り込まれることとなる。
【００１８】
そして、切り取りミシン目１２Ａから切り取る場合に、図９（ｂ）に示すように、カット部１２ｅからカット部１２ａの間のアンカット部１２ｃが破れる際に、破れた部分１３の破れる方向にカット部１２ａが形成されているので、予期しない方向に破れてしまうことを回避することができる。
【００１９】
次に、第３実施形態のフレキシブルアンビルダイ６ｃを使用して、切り取りミシン目を形成した場合について、図１０に基づいて説明する。
フレキシブルアンビルダイ６ｃを使用して形成した切り取りミシン目１２Ｂは、図１０（ａ）に示すように、切り取りミシン目１２Ｂのカット部の内、カット部１２ｅとカット部１２ｂの間のアンカット部１２ｃが、マグネットロールに対してフレキシブルアンビルダイ６ｃを巻き付けてセットした状態とした時のフレキシブルアンビルダイ６ｃの先端同士の間のギャップの部分となり、カット部１２ｅがフレキシブルアンビルダイ６ｃに形成された傾斜刃５ｅにより切り込まれる部分となり、また、カット部１２ｂがフレキシブルアンビルダイ６ｃに形成された傾斜刃５ｄにより切り込まれる部分となる。
【００２０】
そして、切り取りミシン目１２Ｂから切り取る場合に、図１０（ｂ）に示すように、カット部１２ｅからカット部１２ｂの間のアンカット部１２ｃが破れる際に、破れた部分１３の破れる方向にカット部１２ｂが形成されているので、予期しない方向に破れてしまうことを回避することができる。
【００２１】
尚、本発明のフレキシブルアンビルダイを使用して形成した切り取りミシン部は、切り取りミシン部を形成した用紙を図８に示すようにやや上方に引っ張りながら破る場合に特に効果的である。
【００２２】
【発明の効果】
以上説明したように、本発明のフレキシブルアンビルダイは、マグネットロールにフレキシブルアンビルダイを巻き付けた際に生じるフレキシブルアンビルダイの先端同士の間のギャップの悪影響で、用紙に形成された切り取りミシン目の一部にこのギャップ分だけ隙間間隔が長く形成されたアンカット部が生じたとしても、この長く形成されたアンカット部の影響で切り取りミシン目から用紙を切り取る際に、予期しない方向に用紙が破れることを防ぐことができるという効果がある。
【図面の簡単な説明】
【図１】本発明の一実施形態に係るフレキシブルアンビルダイが適応される加工工程を概略的に示す構成図である。
【図２】本発明の一実施形態に係るフレキシブルアンビルダイがマグネットロールに巻き付けられた状態を示す斜視図である。
【図３】本発明の第１実施形態に係るフレキシブルアンビルダイの平面図である。
【図４】本発明の第２実施形態に係るフレキシブルアンビルダイの平面図である。
【図５】本発明の第３実施形態に係るフレキシブルアンビルダイの平面図である。
【図６】図３のＡ−Ａ線断面図である。
【図７】本発明の第１実施形態に係るフレキシブルアンビルダイを用いて切り取りミシン目を形成した伝票の平面図である。
【図８】図７に示した伝票の１枚目の伝票を切り取りミシン目から切り取る状態を示した平面図である。
【図９】図９（ａ）本発明の第２実施形態に係るフレキシブルアンビルダイを用いて形成した切り取りミシン目の形状を示す図、図９（ｂ）は、図９（ａ）の切り取りミシン目から切り取った後の切り取り部分の形状を示す図である。
【図１０】図１０（ａ）は、本発明の第３実施形態に係るフレキシブルアンビルダイを用いて形成した切り取りミシン目の形状を示す図、図１０（ｂ）は、図１０（ａ）の切り取りミシン目から切り取った後の切り取り部分の形状を示す図である。
【符号の説明】
１  連続用紙
２  送りローラ
３  印刷部
３ａ  刷版ローラ
３ｂ  受胴ローラ
４  切込部
５  押切刃
５ａ  ミシン刃、または、直線状のミシン刃
５ｂ，５ｄ，５ｅ  傾斜刃
６，６ａ，６ｂ，６ｃ  フレキシブルアンビルダイ
７  マグネットロール
８  受胴
９  永久磁石
１０  刃先
１１ａ，１１ｂ，１１ｃ  複写伝票
１２，１２Ａ，１２Ｂ  切り取りミシン目
１２ａ，１２ｂ  カット部
１２ｃ  アンカット部
１３  破れた部分
１４  接着部
【図１】
0004249421.tif 000002
【図２】
0004249421.tif 000003
【図３】
0004249421.tif 000004
【図４】
0004249421.tif 000005
【図５】
0004249421.tif 000006
【図６】
0004249421.tif 000007
【図７】
0004249421.tif 000008
【図８】
0004249421.tif 000009
【図９】
0004249421.tif 000010
【図１０】
0004249421.tif 000011